(57)【特許請求の範囲】
【請求項１】
ホルダに支持された記録媒体を装着して使用する記録装置であって、ホルダを一方向に移動させて固定し、他方向に移動させて取り外す固定装置と、記録装置の設定を行う設定手段とを備えたものにおいて、前記設定手段は互いに独立してＯＦＦ状態、ＯＮ状態に移動可能な複数のスイッチピンを備えたディップスイッチで構成し、前記ホルダには、ホルダを固定するときに所定のスイッチピンをＯＮ状態に操作する操作突起と、ホルダを取り外すときに全てのスイッチピンをＯＦＦ状態に操作するリセット面とを対向して設け、ホルダが挿入されるとき、操作突起とリセット面が、ＯＦＦ状態の各スイッチピンの両側を通過するように構成したことを特徴とする記録装置。
【発明の詳細な説明】
【０００１】
【発明の属する技術分野】
本発明は、例えば感熱記録紙、普通紙、コート紙などの記録用紙や、例えば転写リボン、トナーやインキなどの記録に供する転写媒体である記録媒体が、これを支持、保持、収容などする枠体、カセット、タンク、トレーなどのホルダに収容された記録装置用媒体およびこれを使用する記録装置に関する。
【０００２】
【従来の技術】
プリンタなどの記録装置では、記録用紙やこれに記録するための転写媒体である転写リボン、トナーやインキなどの記録媒体が、使用する記録装置との相性によって限定されているものが多い。このため、各プリンタ毎に専用の感熱記録紙やリボン、トナーなどを製品番号を設け、消耗品対照表などによって管理、販売するようにしている。
【０００３】
ところが、産業や流通業に用いるラベルプリンタなどの記録装置では、使用する感熱記録紙や転写リボンの製品番号が異なっていてもサイズが合えば装着できてしまうものも多い。
【０００４】
また、プリンタ側の設定スイッチを切り替えて複数の記録媒体に対応できるようにしたものもあるが、プリンタを操作する者がこの設定を知らなかったり誤操作することもあった。
【０００５】
【発明が解決しようとする課題】
本発明は上記従来の技術の問題に鑑みなされたもので、本発明は記録媒体を装着し、交換するときに操作者が意識しなくても記録装置の設定を自動的に行うことができるようにした記録装置用媒体および記録装置を提供することを目的としている。
【０００６】
【課題を解決するための手段】
上記課題を解決する為、本発明によれば、ホルダに支持された記録媒体を装着して使用する記録装置であって、ホルダを一方向に移動させて固定し、他方向に移動させて取り外す固定装置と、記録装置の設定を行う設定手段とを備えたものにおいて、前記設定手段は互いに独立してＯＦＦ状態、ＯＮ状態に移動可能な複数のスイッチピンを備えたディップスイッチで構成し、前記ホルダには、ホルダを固定するときに所定のスイッチピンをＯＮ状態に操作する操作突起と、ホルダを取り外すときに全てのスイッチピンをＯＦＦ状態に操作するリセット面とを対向して設け、ホルダが挿入されるとき、操作突起とリセット面が、ＯＦＦ状態の各スイッチピンの両側を通過するように構成したことを特徴とする記録装置が提供される。
【０００８】
【発明の実施の形態】
以下に、図１ないし図４を用いて本発明の好適な実施の形態を詳述する。
【０００９】
図１中の１は印字媒体として感熱記録紙を用いる記録装置本体としてのプリンタであり、該プリンタ１の内部にはサーマルヘッド２、プラテンローラ３等からなる印字部４と、媒体収容部５が設けられている。
【００１０】
６はプリンタ１に用いる記録装置用媒体であり、該記録装置用媒体６は感熱記録紙の連続体からなるロール紙７と、これを媒体収容部５内で水平に支持するホルダ８とからなる。ホルダ８は図２に示すように、底板９と、該底板９の両端から垂直方向に立設された側板１０，１０とから「コ」字状に形成され、ロール紙７は軸方向両端を各側板１０上に設けた軸または突起(いずれも図示せず)によって回転可能に軸支または吊架されている。
【００１１】
１１は底板９の一側(図１，３中の左側、図２，４中の手前側)に穿設された固定装置を構成する取付穴であり、該取付穴１１は略円形の挿通穴部１１ａと、該挿通穴部１１ａの一部から径方向外向きに伸長した固定溝部１１ｂよりなる鍵穴状の穴である。該取付穴１１は後述するプリンタ１側の係合突起１４と協同してホルダ８の底板９を一側で固定する。
【００１２】
１２は底板９の他側(図１，３中の右側、図２，４中の奥側)に設けられた固定装置を構成する円弧状凹部で、後述するプリンタ１側の押さえバネ１５と協同してホルダ８の底板９を他側で固定する。
【００１３】
１３は側板１０の下端側に穿設された操作部としての段付穴であり、該段付穴１３は略四角形状をなし、一側の縁から内向きに階段状の操作突起１３ａが突設され、該操作突起１３ａの対向面は平坦なリセット面１３ｂとなっている。
【００１４】
１４は媒体収容部５の一側底面に突設された装置本体側の固定装置を構成する係合突起を示し、該係合突起１４は前記挿通穴部１１ａ内に挿通可能な円板部１４ａと、該円板部１４ａの径に相当する幅寸法と底板９の厚さに相当する高さ寸法を備えた板状の茎部１４ｂとからなる。
【００１５】
そして、プリンタ１にホルダ８を装着するときには、図２に示す如く、係合突起１４の円板部１４ａに取付穴１１の挿通穴部１１ａを一致させて矢示Ａ方向に挿入する。次いで、ホルダ８の底板９をプリンタ１の底板に沿って矢示Ｂ方向に移動させると、係合突起１４の茎部１４ｂが固定溝部１１ｂ内に進入するのと同時に、押さえバネ１５がホルダ８の底板９を他側で固定するので、円板部１４ａによって固定溝部１１ｂは上下移動できなくなり、ホルダ８はプリンタ１に固定される。
【００１６】
１５は媒体収容部５の他側底面に設けられ固定装置を構成する押さえバネで、該押さえバネ１５は先端に折り曲げ形成された係合部が前記ホルダ８の円弧状凹部１２に係合することにより、上下移動できないようにホルダ８の底板９を他側で固定するものである。
【００１７】
１６はプリンタ１に設けられた設定手段としてのディップスイッチであり、該ディップスイッチ１６はプリンタ１の図示しないバスラインを介しＣＰＵに接続され、ロール紙７に適した印字モードの設定や用紙サイズの設定などを行うものである。
【００１８】
ここで、ディップスイッチ１６には１６ａ〜ｄの４つのスイッチピンが設けられ、該各ピンは互いに独立して図３中の左右方向に移動可能である。そして、各ピンは左側にあるときにＯＦＦ状態、右側にあるときにＯＮ状態となり、１６ａ〜ｄのピンがＯＮかＯＦＦかにより、８通りの設定が可能である。そして、記録装置用媒体６(ホルダ８)が取り外されているときには全てのピンがＯＦＦ状態になっている。
【００１９】
次に、前述の如く記録装置用媒体６(ホルダ８)がプリンタ１に挿入されるときには、段付穴１３の操作突起１３ａとリセット面１３ｂが、ＯＦＦ状態の各ピン１６ａ〜ｄの両側を通過する。
【００２０】
そして、ホルダ８を固定するために図２，３中の矢示Ｂ方向に移動させると、各操作突起１３ａが対向する位置にあるピン、(図３中の１６ａおよび１６ｃ)を、図中右方向に移動させてＯＮ状態となす(設定する)。
【００２１】
一方、ホルダ８を取り外すため、該ホルダ８を図３中の矢示Ｃ方向に移動させるとき、リセット面１３ｂが、ＯＮ状態にある１６ａおよび１６ｃピンを図中左方向に移動させ、初期状態となす(設定解除する)。
【００２２】
本実施の形態によれば、以下の効果を奏する。
【００２３】
まず、ロール紙７とホルダ８を一体の物として扱うことにより、プリンタの操作者は、記録装置用媒体６を装着するだけで感熱記録紙の感度や用紙サイズ等をプリンタ１に自動設定することができる(当然、操作突起１３ａの配列は用紙の種類毎に変更するものである)。これにより、プリンタ１側の設定ミスによる印字不良等、不測のトラブルを予防できる。
【００２４】
そして、記録装置用媒体６を取り外すときにこの設定が解除されるので、次に異なった種類の媒体を用いる場合に誤操作の危険性をなくすことができる。
【００２５】
また、ロール紙７単独だと、運送時や保管時に、ロール紙が径方向に変形するのを抑えるために横積み禁止や積み重ね禁止などの取扱制限が課される。しかし、コ字状のホルダ８を用いたため、運送保管などの取扱いも容易かつ便利になる。
【００２６】
そして、ディップスイッチ１６の設定を手動で行いたい場合には、操作部として前述の段付穴１３に替え、操作突起１３ａの無い単純な四角穴を設けたホルダを別途用意してロール紙７のみ取り替えられるようにしてもよい。
【００２７】
なお、ディップスイッチ１６は４エレメントのものを図に例示したがこれに限定するものでなく、数、配置も任意であり、段付穴１３についても同様に、側板１０に限らず底板９等に複数設けてよい。
【００２８】
また、ディップスイッチにより設定する内容については種々のものが考えられる。例えば、全ピンＯＦＦ状態のときにはプリンタに設けた表示装置に初期メニューが現れ設定操作を促すとか、警報音をプリンタが発するとか、全く動作しないようにすることもできる。
【００２９】
次に、図４に示すのは第２の実施の形態に係る記録装置用媒体および記録装置本体である。
【００３０】
図示の如く、ホルダ８に設ける操作部として前述の段付穴１３に替え、操作突起１７ａおよびリセット突起１７ｂよりなる操作凸部１７を設けたものであり、この変更に伴ってプリンタ側のディップスイッチ１６の配置も変更されている。
【００３１】
以上の如き本実施の形態によっても同様の作用効果を奏することができる。
【００３２】
なお、本発明は上述した実施の形態に限定されることなく、特許請求の範囲に記載した範囲内での変形が可能である。例えば、記録媒体としてロール紙を例示したが、単票紙、転写リボン、トナー、インキでもよく、ホルダに替えてトレー、カセット、カートリッジ等でもよい。
【００３４】
さらに、記録装置としてプリンタを例示したが、ペンレコーダやプロッタなどにも応用可能である。
【００３５】
【発明の効果】
以上詳述したとおり、本発明によれば、記録装置に装着し、交換するときに操作者が意識しなくても記録装置のディップスイッチの設定を自動的に行うことができ、記録装置の設定ミスによる印字不良等、不測のトラブルを予防できる。
【００３６】
また、記録装置用媒体を取り外すときにリセット面でディップスイッチの以前の設定が解除されるので、次に異なった種類の媒体を用いる場合に誤操作する危険性をなくすことができる。
【図面の簡単な説明】
【図１】本発明の実施の形態に係る記録装置を示す説明図である。
【図２】記録装置用媒体および記録装置本体の要部を示す斜視図である。
【図３】記録装置用媒体を記録装置本体に装着する方法を示す説明図である。
【図４】第２の実施の形態を示す図２と同様の説明図である。
【符号の説明】
１  プリンタ(記録装置本体)
６  記録装置用媒体
７  ロール紙(記録媒体)
８  ホルダ
１１  取付穴(固定装置)
１２  円弧状凹部(固定装置)
１３  段付穴(操作部、第１の実施の形態)
１３ａ  操作突起
１３ｂ  リセット面
１４  係合突起(固定装置)
１５  押さえバネ(固定装置)
１６  ディップスイッチ(設定手段)
１７  操作凸部(操作部、第２の実施の形態)
【図１】
0004493789.tif 000002
【図２】
0004493789.tif 000003
【図３】
0004493789.tif 000004
【図４】
0004493789.tif 000005